(57)【要約】      （修正有）【課題】加入者識別モジュール（ＳＩＭ）カードを確実に保持する電気コネクタを提供する。【解決手段】絶縁性ハウジング１０と、複数の端子２０と、金属シェル３０とで上記電気コネクタを構成する。前記絶縁性ハウジングは、ベース１１と延長部１２とを有する。前記端子は、前記ベースに装着される。前記金属シェルは、前記絶縁性ハウジングと前記金属シェルとの間にカードスペースを画成するように絶縁性ハウジングを覆い、上部プレート３１と２つの側面プレート３２とを有する。前記上部プレートは、前記カードスペースに挿入されるカードに対してしっかりと当接するように前記上部プレート上に形成されて前記上部プレートから前記絶縁性ハウジングの上部に向かって突出する複数の押圧タブ３１１を有する。【選択図】図１
0003149104.tif 000002
【実用新案登録請求の範囲】
【請求項１】
絶縁性ハウジングであって、上部と、底部と、前端と、後端と、２つの対向する側面とを有するベースであって前記上部に画成された２列の端子スロットをさらに有するベースと、前記ベースの前記前端上に形成されて前記前端から前方に突出する延長部とを有する絶縁性ハウジングと、
前記端子スロットにそれぞれ対応して前記端子スロットにそれぞれ装着される複数の端子と、
金属シェルと前記絶縁性ハウジングとの間にカードスペースを画成するように前記絶縁性ハウジングを覆う金属シェルであって、前記絶縁性ハウジングの前記上部の上方に配置される上部プレートであって２つの対向する側端と前記上部プレート上に形成されて前記上部プレートから前記絶縁性ハウジングの前記上部に向かって突出する複数の押圧タブとを有する上部プレートと、前記上部プレートの前記側端上に形成されて前記上部プレートの前記側端からそれぞれ垂直下方向に突出する２つの側面プレートとを有する金属シェルとを備えた電気コネクタ。
【請求項２】
前記絶縁性ハウジングの前記ベースは、
前記側面にそれぞれ隣接する前記上部に画成される２つの切欠部であって、各切欠部は、内面を有する切欠部と、
前記切欠部の前記内面にそれぞれ画成される２つの位置決め凹部と、
前記側面にそれぞれ隣接する前記底部上に形成される２つのフック部であって、各フック部は、前記ベースの前記底部及び前記後端に画成されるフックスリットを有するフック部とをさらに有し、
前記金属シェルの各側面プレートは、
前記側面プレート上に形成されて前記側面プレートから略垂直に突出して前記切欠部の１つに装着される少なくとも１つの装着タブと、
前記側面プレート上に形成されて前記側面プレートから略垂直に突出して前記位置決め凹部の１つに装着される位置決めタブと、
前記ベースの前記底部に装着されて前記フック部のうちの１つの前記フックスリットに摺動可能にフックする少なくとも１つの摺動フックとを有する、請求項１に記載の電気コネクタ。
【請求項３】
各端子は、
対応する端子に確実に装着される装着部と、
前記装着部上に形成されて前記装着部から突出する半田部と、
前記装着部上に形成されて前記装着部から突出する弾性接触部であって、先端を有する弾性接触部と、
前記弾性接触部の前記先端上を横断して形成されて前記対応する端子スロットに摺動可能に装着される摺動部とを有しており、
前記金属シェルの前記押圧タブは、前記端子の前記弾性接触部に対向する、請求項２に記載の電気コネクタ。
【請求項４】
前記絶縁性ハウジングの前記延長部は、
前記延長部に画成され、内面を有する第１の装着キャビティと、
前記延長部に画成され、内面を有する第２の装着キャビティとをさらに有しており、
前記絶縁性ハウジングの前記延長部に装着される検出アセンブリであって、前記検出アセンブリは、
前記第１の装着キャビティに装着される第１の検出端子であって、前記第１の装着キャビティに確実に装着される装着セクションであって前記第１の検出端子上に形成されて前記検出端子から突出する歯部を有して前記第１の装着キャビティの内面内へと貫通する装着セクションと、前記装着セクション上に形成されて前記装着セクションから突出する弾性セクションであって接触セクションを有する弾性セクションと、前記弾性セクションに対向して前記装着セクション上に形成されて前記装着セクションから突出する半田セクションとを有する第１の検出端子と、
第２の装着キャビティに装着される第２の検出端子であって、前記第２の装着キャビティに確実に装着される装着セクションであって前記第２の検出端子上に形成されて前記第２の検出端子から突出して前記第２の装着キャビティの前記内面へと貫通する歯部を有する装着セクションと、
前記第２の検出端子の前記装着セクション上に形成される前記装着セクションを横断して突出する弾性セクションであって接触セクションを有する弾性セクションと、前記第２の検出端子の前記装着セクション上に形成されて前記装着セクションから突出する半田セクションとを有する第２の検出端子と
を有する、請求項３に記載の電気コネクタ。
【考案の詳細な説明】
【技術分野】
【０００１】
本考案はコネクタに関し、より具体的には、加入者識別モジュール（ＳＩＭ）カードを確実に保持する電気コネクタに関する。
【背景技術】
【０００２】
加入者識別モジュール（ＳＩＭ）カードを保持するための従来の電気コネクタは、絶縁性ハウジングと、複数の端子と、金属シェルと、検出アセンブリとを備える。前記端子は、前記絶縁性ハウジングに装着される。前記金属シェルは、前記絶縁性ハウジングを覆って前記絶縁性ハウジングと前記金属シェルとの間に開口部を有するカードスペースを画成する。前記検出アセンブリは、前記スペースの前記開口部に隣接する又は前記開口部から離れてある前記絶縁性ハウジング内に装着される。ＳＩＭカードが前記カードスペースに装着されると、前記端子は前記ＳＩＭカードに対して弾性的に当接し電気的に接続する。安定した信号送信を得るには端子の充分な弾性が必要で、そのため端子の製造費が高くなる。さらに、ＳＩＭカードが前記端子にしっかりと当接した後、長い時間が経過すると、端子の弾性が低下してＳＩＭカードと電気コネクタとの間で信号の送信ミスが容易に発生する。
【考案の開示】
【考案が解決しようとする課題】
【０００３】
このような欠点を克服するため、本考案は、上記の問題を軽減又は除去する電気コネクタを提供する。
【０００４】
本考案の主な目的は、加入者識別モジュール（ＳＩＭ）カードを確実に保持する電気コネクタを提供することにある。
【課題を解決するための手段】
【０００５】
本考案の係る電気コネクタは、絶縁性ハウジングと、複数の端子と、金属シェルとを有する。前記絶縁性ハウジングは、ベースと、延長部とを有する。前記端子は、前記ベースに装着される。前記金属シェルは、前記絶縁性ハウジングと前記金属シェルとの間にカードスペースを画定するように前記絶縁性ハウジングを覆っており、上部プレートと２つの側面プレートとを有する。前記上部プレートは、前記カードスペースに挿入されるカードにしっかりと当接するように前記上部プレート上に形成されて前記上部プレートから前記絶縁性ハウジングの前記上部に向かって突出する複数の押圧タブを有する。前記押圧タブは、前記カードが前記カードスペースから移動又は落下するのを防ぐ。
【０００６】
本考案の他の目的、利点、及び新しい特徴は、添付した図面と併せて以下に記す詳細な説明からより明らかとなるものである。
【考案を実施するための最良の形態】
【０００７】
図１乃至図３を参照すると、本考案の係る電気コネクタ（１００）は、電子機器のプリント回路基板（ＰＣＢ）に装着されてもよく、また加入者識別モジュール（ＳＩＭ）カードを保持してもよい。
【０００８】
電気コネクタ（１００）は、絶縁性ハウジング（１０）と、複数の端子（２０）と、金属シェル（３０）と、検出アセンブリ（４０）とを備えている。
【０００９】
絶縁性ハウジング（１０）は、ベース（１１）と延長部（１２）とを有している。
【００１０】
ベース（１１）は、上部と、底部と、前端と、後端と、２つの対向する側面と、２列の端子スロット（１１１）と、２つの切欠部（１１２）と、２つの位置決め凹部（１１３）と、２つのフック部（１１４）とを有している。前記列は、相互対称であり、前記前端及び前記後端にそれぞれ隣接している。各端子スロット（１１１）は、ベース（１１）の前記上部に画成されている。切欠部（１１２）は、前記側面にそれぞれ隣接して前記上部に画成されており、各切欠部（１１２）は、内面を有している。位置決め凹部（１１３）は、切欠部（１１２）の前記内面にそれぞれ画成されている。フック部（１１４）は、前記側面にそれぞれ隣接して前記底部上に形成されており、ベース（１１）の前記底部及び前記後端に画成されたフックスリット（１１４１）を有している。
【００１１】
延長部（１２）は、ベース（１０）の前記前端上に形成されて前記前端から前方に突出しており、第１の装着キャビティ（１２１）と第２の装着キャビティ（１２２）とを有している。第１の装着キャビティ（１２１）は、延長部（１２）に画成され、内面を有している。第２の装着キャビティ（１２２）は、延長部（１２）に画成され、内面を有している。
【００１２】
前記端子（２０）は、端子スロット（１１１）にそれぞれ対応して端子スロット（１１１）にそれぞれ装着されており、各端子（２０）は、装着部（２１）、半田部（２２）と、弾性接触部（２４）と、摺動部（２５）とを有している。
【００１３】
装着部（２１）は、矩形であってもよく、対応する端子（２０）に確実に装着されている。
【００１４】
半田部（２２）は、装着部（２１）上に形成されて装着部（２１）から突出している。
【００１５】
弾性接触部（２３）は、Ｖ字型であってもよく、装着部（２１）上に形成されて装着部（２１）から突出しており、前記ＳＩＭカードの接点に接触して電気的に接続して信号又は電力の送信を実行してもよく、さらに先端を有している。
【００１６】
摺動部（２５）は、前記弾性接触部（２３）の前記先端を横断して形成されて対応する端子スロット（１１１）に摺動可能に装着されている。
【００１７】
金属シェル（３０）は、金属シェル（３０）と絶縁性ハウジング（１０）との間のカードスペース（３５）を画成するように絶縁性ハウジング（１０）を覆っており、ベース（１１）の前記後端に隣接する入口（１０１）を有している。金属シェル（３０）は、上部プレート（３１）と２つの側面プレート（３２）とを有している。
【００１８】
上部プレート（３１）は、絶縁性ハウジング（１０）の前記上部の上方に配置されており、２つの対向する側端と複数の押圧タブ（３１１）とを有している。押圧タブ（３１１）は、上部プレート（３１）上に形成されて上部プレート（３１）から絶縁性ハウジング（１０）の前記上部に向けて突出して端子（２０）の弾性接触部（２４）に対向しており、さらに前記カードスペース（３５）に保持されるＳＩＭカードに対してしっかりと当接してもよい。前記ＳＩＭカードがカードスペース（３５）に装着されると、金属シェル（３０）の押圧タブ（３１１）は、端子（２０）の弾性接触部（２４）と協働して前記ＳＩＭカードを確実に保持する。
【００１９】
側面プレート（３２）は、上部プレート（３１）の前記側端上に形成されて前記側端からそれぞれ垂直下方向に突出しており、各側面プレート（３２）は、少なくとも１つの装着タブ（３２１）と、位置決めタブ（３２２）と、少なくとも１つの摺動フック（３２３）とを有している。少なくとも１つの装着タブ（３２１）は、側面プレート（３２）上に形成されて側面プレートから略垂直に突出しており、切欠部（１１２）の１つに装着される。位置決めタブ（３２２）は、側面プレート（３２）上に形成されて側面プレート（３２）から略垂直に突出しており、位置決め凹部（１１３）の１つに装着されて金属シェル（３０）が絶縁性ハウジング（１０）に対して前後に摺動するのを防いでいる。少なくとも１つの摺動フック（３２３）は、Ｌ字型であってもよく、ベース（１１）の前記底部に装着されてフック部（１１４）の１つのフックスリット（１１４１）に摺動可能にフックし、そのためベース（１１）は、少なくとも１つの装着タブ（３２１）と少なくとも１つのフック（３２３）との間で保持される。
【００２０】
検出アセンブリ（４０）は、絶縁性ハウジング（１０）の延長部（１２）に装着され、前記ＰＣＢ上の回路に電気的に接続して、ＳＩＭカードがカードスペース（３５）に挿入されたのを検出することが可能であって、第１の検出端子（４１）と第２の検出端子（４２）とを有している。
【００２１】
第１の検出端子（４１）は、Ｕ字型であってもよく、前記第１の装着キャビティ（１２１）に装着され、装着セクション（４１２）と、弾性セクションと、半田セクション（４１３）とを有している。
【００２２】
装着セクション（４１２）は、第１の装着キャビティ（１２１）に確実に装着され、歯部（４１２１）を有している。歯部（４１２１）は、第１の検出端子（４１）上に形成されて第１の検出端子（４１）から突出して第１の装着キャビティ（１２１）の前記内面内へと貫通する。
【００２３】
弾性セクション（４１１）は、装着セクション（４１２）上に形成されて装着セクション（４１２）から突出しており、前記ＳＩＭカードの接点に接触して電気的に接続するＶ字型をした接触セクション（４１１１）を有している。
【００２４】
半田セクション（４１３）は、弾性セクション（４１１）に対向して装着セクション（４１２）上に形成されて装着セクション（４１２）から突出しており、前記ＰＣＢ上で半田付けされる、そのため第１の検出端子（４１）が前記ＰＣＢに電気的に接続している。
【００２５】
第２の検出端子（４２）は、第２の装着キャビティ（１２２）に装着され、装着セクション（４２２）と、弾性セクション（４２１）と、半田セクション（４２３）とを有している。
【００２６】
装着セクション（４２２）は、第２の装着キャビティ（１２２）に確実に装着され、歯部（４２２１）を有している。歯部（４２２１）は、第２の検出端子（４２）上に形成されて第２の検出端子（４２）から突出して第２の装着キャビティ（１２２）の前記内面内へと貫通する。
【００２７】
弾性セクション（４２１）は、装着セクション（４２２）上に形成されて装着セクション（４２２）から横断して突出しており、前記ＳＩＭカードの接点に接触して電気的に接続する接触セクション（４２１１）を有している。
【００２８】
半田セクション（４２３）は、装着セクション（４２２）上に形成されて装着セクション（４２２）から突出しており、前記ＰＣＢ上に半田付けされる、そのため第２検出端子（４２）が前記ＰＣＢに電気的に接続している。
【００２９】
前記ＳＩＭカードが電気コネクタ（１００）のカードスペース（３５）に挿入されて第１及び第２の検出端子（４１、４２）に接触すると、前記ＰＣＢ上の回路が起動して前記ＳＩＭカードと電気コネクタ（１００）との間において前記信号及び電力送信を実行する。
【００３０】
電気コネクタ（１００）がアセンブリされる際、前記端子（２０）は、絶縁性ハウジング（１０）の端子スロット（１１１）にそれぞれ装着される。次に、第１及び第２の端子（４１、４２）は、延長部（１２）の第１及び第２の装着キャビティ（１２１、１２２）にそれぞれ装着される。金属シェル（３０）は、前記後端からベース（１１）のフックスリット（１１４１）内へと摺動するスライドフック（３２３）によって絶縁性ハウジング（１０）に装着される。
【００３１】
金属シェル（３０）の押圧タブ（３１１）は、端子（２０）の弾性接触部（２４）と協働して前記ＳＩＭカードを確実に保持する。そのため前記ＳＩＭカードは、電気コネクタ（１００）から不意に移動又は落下して信号及び電力の送信ミスを生じることがない。
【００３２】
以上、本考案の構造及び機能と併せて、本考案の数々の特性及び利点を記載してきたが、本開示は例示にすぎない。添付した特許請求の範囲に表現されている文言の広い一般的な意味によって示される程度まで、本考案の原理の範囲で詳細において、特に部品の形状、サイズ、及び構成に関して変更が成されてもよい。
【図面の簡単な説明】
【００３３】
【図１】本考案の係る電気コネクタの上部分解斜視図である。
【図２】図１の電気コネクタの一部の底部分解斜視図である。
【図３】図１の電気コネクタを示す斜視図である。
【図１】
0003149104.tif 000003
【図２】
0003149104.tif 000004
【図３】
0003149104.tif 000005